【手続補正書】
【提出日】平成20年4月11日(2008.4.11)
【手続補正１】
【補正対象書類名】明細書
【補正対象項目名】特許請求の範囲
【補正方法】変更
【補正の内容】
【特許請求の範囲】
【請求項１】  パワーマネージメント可能なリソースに結合された１つまたはそれ以上のパワーマネージメント可能な装置を監視するステップを含み、監視する前記ステップは、前記１つまたはそれ以上のパワーマネージメント可能な装置のすべてが非アクティブであるかどうかを判断するステップを含み、さらに、
前記パワーマネージメント可能な装置のすべてが非アクティブである場合に前記パワーマネージメント可能なリソースの電源を切るステップを含み、
前記パワーマネージメント可能なリソースは、タイムスロットバスを含み、前記タイムスロットバス上を伝送される各フレームは、複数の状態ビットを含み、前記状態ビットの各々は、前記１つまたはそれ以上の装置の１つに対応し、対応する装置が非アクティブであるかどうかを示す、方法。
【請求項２】  前記パワーマネージメント可能な装置のすべてが非アクティブである場合に、前記１つまたはそれ以上のパワーマネージメント可能な装置の各々を監視して前記パワーマネージメント可能な装置のいずれかがアクティブになるかどうかを判断するステップをさらに含み、前記パワーマネージメント可能なリソースは、前記パワーマネージメント可能な装置のいずれかがアクティブになることに応答して電源が入れられる、請求項１に記載の方法。
【請求項３】  前記パワーマネージメント可能なリソースは、１つまたはそれ以上のアイドルフレームを周期的に伝送するように構成されたパケットバスを含み、前記１つまたはそれ以上のアイドルフレームの各々は、状態ワードを含み、各状態ワードは、複数の状態ビットを含み、前記状態ビットの各々は、前記１つまたはそれ以上の装置の１つに対応して対応する装置が非アクティブであるかどうかを判断する、請求項１に記載の方法。
【請求項４】  前記リソースはパケットバスを含み、前記パワーマネージメント可能な装置の各々は、アクティブになったことに応答して活性化されたパケットを伝送し、非アクティブになったことに応答して非活性化されたパケットを伝送するように構成され、前記１つまたはそれ以上のパワーマネージメント可能な装置の各々を監視する前記ステップは、前記パワーマネージメント可能な装置の各々についての前記活性化されたパケットおよび前記非活性化されたパケットを監視するステップを含む、請求項１に記載の方法。
【請求項５】  前記活性化されたパケットの各々および前記非活性化されたパケットの各々に対応する前記パワーマネージメント可能な装置を認識するステップをさらに含む、請求項４に記載の方法。
【請求項６】  前記パワーマネージメント可能な装置の各々の前記活性化されたおよび非活性化されたパケットを監視するステップは、活性化されたパケットの検出に応答してカウンタを増分し、非活性化されたパケットの検出に応答してカウンタを減分するステップを含む、請求項４に記載の方法。
【請求項７】  前記パワーマネージメント可能なリソースは、前記パワーマネージメント可能な装置の各々に対応するアクティブ／非アクティブのデータを記憶するように構成された１つまたはそれ以上のレジスタを含み、前記レジスタの１つ内の前記データは、対応するパワーマネージメント可能な装置がアクティブまたは非アクティブになったことに応答して更新され、前記１つまたはそれ以上のパワーマネージメント可能な装置の各々を監視する前記ステップは、前記１つまたはそれ以上のレジスタを監視するステップを含む、請求項１に記載の方法。
【請求項８】  前記パワーマネージメント可能な装置の各々は、アクティブ／非アクティブのデータを記憶するように構成された１つまたはそれ以上のレジスタを含み、前記１つまたはそれ以上のレジスタの各々は、前記パワーマネージメント可能な装置の１つに対応し、前記レジスタの１つ内の前記データは、対応するパワーマネージメント可能な装置がアクティブまたは非アクティブになったことに応答して更新され、前記１つまたはそれ以上のパワーマネージメント可能な装置を監視する前記ステップは、前記１つまたはそれ以上のレジスタを監視するステップを含む、請求項１に記載の方法。
【請求項９】  前記パワーマネージメント可能なリソースに信号を駆動する前記パワーマネージメント可能な装置の各々をさらに含み、前記信号は、対応するパワーマネージメント可能な装置のアクティブ／非アクティブの状態を表わす、請求項８に記載の方法。
【請求項１０】  共有可能なリソースを含み、前記共有可能なリソースの制御は、パワーマネージメント動作を含み、前記共有可能なリソースはバスであり、前記バスは、フレームを伝送するように構成されたタイムスロットバスを含み、前記フレームの各々は、複数の状態ビットを含み、前記状態ビットの各々は、１つまたはそれ以上の装置の１つに対応し、前記状態ビットの各々は、対応する装置が非アクティブであるかどうかを示し、さらに、
前記共有可能なリソースに結合された１つまたはそれ以上の装置を含み、前記装置の各々は、前記共有可能なリソースを使用するように構成され、前記１つまたはそれ以上の装置の制御は、パワーマネージメント動作を含み、さらに、
リソースモニタを含み、前記リソースモニタは、前記１つまたはそれ以上の装置を監視して前記装置のすべてが非アクティブであるかどうかを判断するように構成され、前記リソースモニタは、前記１つまたはそれ以上の装置の各々が非アクティブである場合に前記共有可能なリソースの電源が切られるように構成され、前記リソースモニタは、前記バスに結合された論理回路を含み、前記論理回路は、前記バス上で伝送されるデータを調べて前記装置の各々が非アクティブであるかどうかを判断するように構成される、システム。
【請求項１１】  前記論理回路は、前記状態ビットを調べて前記装置のすべてが非アクティブであるかどうかを判断するように構成される、請求項１０に記載のシステム。
【請求項１２】  前記バスは、１つまたはそれ以上のアイドルフレームを周期的に伝送するように構成されたパケットバスを含み、前記アイドルフレームの各々は、複数の状態ビットを含む状態ワードを含み、前記状態ビットの各々は、前記装置の１つに対応して前記装置がアクティブまたは非アクティブであるかどうかを示す、請求項１０に記載のシステム。
【請求項１３】  前記論理回路は、前記状態ビットを調べて前記装置のすべてが非アクティブであるかどうかを判断するように構成される、請求項１２に記載のシステム。
【請求項１４】  前記バスはパケットバスを含み、前記装置の各々は、アクティブになったことに応答して活性化されたパケットを前記バス上で伝送するように構成され、前記装置の各々は、非アクティブになったことに応答して非活性化されたパケットを前記バス上で伝送するように構成される、請求項１０に記載のシステム。
【請求項１５】  前記論理回路は、前記装置の各々についての前記活性化されたパケ
ットおよび前記非活性化されたパケットを調べて前記装置のすべてが非アクティブであるかどうかを判断するように構成される、請求項１４に記載のシステム。
【請求項１６】  前記リソースモニタは、前記装置の各々についてのアクティブ／非アクティブの状態を示すログを維持するように構成される、請求項１５に記載のシステム。
【請求項１７】  カウンタをさらに含み、前記リソースモニタは、活性化されたパケットが検出されると前記カウンタを増分するように構成され、前記モニタは、非活性化されたパケットが検出されると前記カウンタを減分するように構成される、請求項１５に記載のシステム。
【請求項１８】  前記バスに結合された状態レジスタをさらに含み、前記装置の各々は、前記状態レジスタ内に対応するビットをセットしてその装置のアクティブ／非アクティブの状態を示すように構成される、請求項１０に記載のシステム。
【請求項１９】  前記リソースモニタは、前記状態レジスタに結合された論理回路を含み、前記論理回路は、前記状態レジスタを調べて前記装置のすべてが非アクティブであるかどうかを判断するように構成される、請求項１８に記載のシステム。
【請求項２０】  前記１つまたはそれ以上の装置の各々は状態レジスタを含み、前記１つまたはそれ以上の装置の各々は、前記状態レジスタ内に値を記憶してその装置のアクティブ／非アクティブの状態を示すように構成される、請求項１０に記載のシステム。
【請求項２１】  前記リソースモニタは、前記バスに結合された論理回路を含み、前記論理回路は、前記装置のすべてが非アクティブであるかどうかを判断するために、前記１つまたはそれ以上の装置の各々についての前記状態レジスタを調べるように構成される、請求項２０に記載のシステム。
【請求項２２】  パワーマネージメント可能なリソースに結合された１つまたはそれ以上のパワーマネージメント可能な装置を監視するステップを含み、監視する前記ステップは、前記１つまたはそれ以上のパワーマネージメント可能な装置のすべてが非アクティブであるかどうかを判断するステップを含み、さらに、
前記パワーマネージメント可能な装置のすべてが非アクティブである場合に前記パワーマネージメント可能なリソースの電源を切るステップを含み、前記パワーマネージメント可能なリソースは、１つまたはそれ以上のアイドルフレームを周期的に伝送するように構成されたパケットバスを含み、前記１つまたはそれ以上のアイドルフレームの各々は、状態ワードを含み、各状態ワードは、複数の状態ビットを含み、前記状態ビットの各々は、前記１つまたはそれ以上の装置の１つに対応して対応する装置が非アクティブであるかどうかを判断する、方法。
【請求項２３】  パワーマネージメント可能なリソースに結合された１つまたはそれ以上のパワーマネージメント可能な装置を監視するステップを含み、監視する前記ステップは、前記１つまたはそれ以上のパワーマネージメント可能な装置のすべてが非アクティブであるかどうかを判断するステップを含み、さらに、
前記パワーマネージメント可能な装置のすべてが非アクティブである場合に前記パワーマネージメント可能なリソースの電源を切るステップを含み、前記リソースはパケットバスを含み、前記パワーマネージメント可能な装置の各々は、アクティブになったことに応答して活性化されたパケットを伝送し、非アクティブになったことに応答して非活性化されたパケットを伝送するように構成され、前記１つまたはそれ以上のパワーマネージメント可能な装置の各々を監視する前記ステップは、前記パワーマネージメント可能な装置の各々についての前記活性化されたパケットおよび前記非活性化されたパケットを監視するステップを含む、方法。
【請求項２４】  パワーマネージメント可能なリソースに結合された１つまたはそれ以上のパワーマネージメント可能な装置を監視するステップを含み、監視する前記ステップは、前記１つまたはそれ以上のパワーマネージメント可能な装置のすべてが非アクティブであるかどうかを判断するステップを含み、さらに、
前記パワーマネージメント可能な装置のすべてが非アクティブである場合に前記パワー
マネージメント可能なリソースの電源を切るステップを含み、前記パワーマネージメント可能な装置の各々は、アクティブ／非アクティブのデータを記憶するように構成された１つまたはそれ以上のレジスタを含み、前記１つまたはそれ以上のレジスタの各々は、前記パワーマネージメント可能な装置の１つに対応し、前記レジスタの１つ内の前記データは、対応するパワーマネージメント可能な装置がアクティブまたは非アクティブになったことに応答して更新され、前記１つまたはそれ以上のパワーマネージメント可能な装置を監視する前記ステップは、前記１つまたはそれ以上のレジスタを監視するステップを含む、方法。